(57)【要約】      （修正有）【課題】複数の機器が接続されている場合に、チャネル設定に関する手間を省く。【解決手段】デジタル放送に関する地域設定処理を行った後、地上デジタル放送のチャネルサーチを起動する。ワンタッチボタン情報を取得し、サービスＩＤ情報を取得する。地上デジタル放送のチャネルサーチを行うとともにサーチが終了したか否かを判定する。チャネルサーチが終了すると、ＢＳ、ＣＳ１、ＣＳ２を選局しＮＩＴを取得することで、ＢＳ、ＣＳ１、ＣＳ２にある放送局を知ることができる。この情報と、ワンタッチボタン情報、サービスＩＤ情報と、から、チャネルの並び替えを行う方針を知ることが出来る。デジタル放送のチャネル設定を並び替える。テレビのリモコンボタン１〜１２の順に、割り当てられているサービスＩＤをレコーダのチャネル設定から探し、テレビの並びと同じになるようにレコーダの方を並び変える。【選択図】図４
2008035182.tif 000002
【特許請求の範囲】
【請求項１】
双方向の通信が可能な第１の機器と第２の機器とを含む放送番組視聴システムであって、
前記通信により前記第１の機器が記憶している第１のチャンネル設定情報を前記第２の機器が前記第１の機器から取得し、取得した該第１のチャンネル設定情報に基づき、前記第２の機器のチャンネルサーチを行なうことを特徴とする放送番組視聴システム。
【請求項２】
前記第１のチャネル設定情報は、前記第１の機器のリモコン装置に割り当てられた放送局の情報を含むことを特徴とする請求項１に記載の放送番組視聴システム。
【請求項３】
さらに、前記第２の機器において、前記第１のチャネル設定情報と前記チャンネルサーチによって得られた第２のチャネル設定情報とに基づいて、前記第２の機器のリモコン装置に割り当てられる放送局の情報を前記第１の機器の設定に合わせるように並び替えることを特徴とする請求項２に記載の放送番組視聴システム。
【請求項４】
前記チャネルサーチは、受信周波数を順次選局し、現在受信可能な局を探す処理を含むことを特徴とする請求項３に記載の放送番組視聴システム。
【請求項５】
前記チャネルサーチ前に、地域情報を取得して、前記チャネルサーチに利用することを特徴とする請求項３又は４に記載の放送番組視聴システム。
【請求項６】
前記チャネル設定情報は、リモコンに割り当てられている情報がデフォルト値又は該デフォルト値から変更された値であるかに関するワンタッチボタン情報と、各放送番組である各サービスに割り当てられている識別子であって、前記第１の機器のリモコン装置に割り当てられている放送局を識別可能なサービスＩＤ情報と、を含むことを特徴とする請求項１から５までのいずれか１項に記載の放送番組視聴システム。
【請求項７】
前記並び替えが出来なかった場合に、エラーメッセージを出力することを特徴とする請求項２から４までのいずれか１項に記載の放送番組視聴システム。
【請求項８】
前記第１の機器と前記第２の機器は、テレビ受信器と記録再生装置であることを特徴とする請求項１から７までのいずれか１項に記載の放送番組視聴システム。
【請求項９】
双方向の通信が可能な第１の機器と第２の機器とを含む放送番組視聴システムにおける第２の機器であって、
前記通信により前記第１の機器が記憶している第１のチャンネル設定情報を前記第１の機器から取得し、取得した該第１のチャンネル設定情報に基づき、チャンネルサーチを行なうことを特徴とする第２の機器。
【請求項１０】
双方向の通信が可能な第１の機器と第２の機器とを含む放送番組視聴システムにおける前記第２の機器のチャネル設定方法であって、
前記通信により前記第１の機器が記憶している第１のチャンネル設定情報を取得するステップと、
取得した該第１のチャンネル設定情報に基づき、チャンネルサーチを行なうステップと、
前記第１のチャネル設定情報と前記チャンネルサーチによって得られた第２のチャネル設定情報とに基づいて、自己のリモコン装置に割り当てられる放送局の情報を前記第１の機器の設定に合わせるように並び替えるステップと
を有することを特徴とするチャネル設定方法。
【請求項１１】
記録再生装置におけるチャネル設定方法であって、
前記記憶再生装置と双方向通信可能に接続されたテレビジョン装置のチャンネル設定情報を取得するステップと、
取得した前記チャンネル設定情報に基づき、チャンネルサーチを行い、チャンネル設定を行なうステップと、
チャンネルサーチのデータを前記テレビジョン装置における設定に並び替えるステップと
を有することを特徴とするチャネル設定方法。
【請求項１２】
請求項１０又は１１に記載のステップを、コンピュータに実行させるためのプログラム。
【発明の詳細な説明】
【技術分野】
【０００１】
本発明は、記録再生装置を含む放送番組視聴システムに関し、特に、記録再生装置のチャネルの設定技術に関する。
【背景技術】
【０００２】
複数のデジタル家電機器を接続するための汎用性のある最新の規格として、例えば、ＨＤＭＩ規格が定められている。ＨＤＭＩ規格においては、ＣＥＣ（Ｃｏｎｓｕｍｅｒ  Ｅｌｅｃｔｒｏｎｉｃｓ  Ｃｏｎｔｒｏｌ）プロトコルを利用している。このＣＥＣプロトコルを利用して、ＨＤＭＩケーブルで接続された機器同士の連携を図るものである。
【０００３】
【表１】
2008035182.tif 000003
【０００４】
表１は、ＣＥＣコマンドの例を示すものであり、ＣＥＣコマンドは、汎用性を維持するために設けられ各機器又はベンダに依存せずに共通の共通コードと、ベンダが固有に規定することができる自由度をもたせるためのベンダに固有の固有コードと、に大別される。
【０００５】
例えば、ＨＤＭＩのベンダ固有コード（コマンド）を利用し機器に機能を持たせる連携システムも発表されてきている。
【０００６】
例えば、テレビとテレビにＨＤＭＩ接続された外部機器において、ユーザはテレビに内蔵されたチューナーの選局と上記の外部機器に内蔵するチャンネルを連続的に切換えることが出来るシステムが知られている（特許文献１参照）。
【特許文献１】特開２００４−３０４２２０号公報
【発明の開示】
【発明が解決しようとする課題】
【０００７】
上記特許文献１に記載の技術は、ＨＤＭＩ接続を利用して、テレビに接続された外部機器からの入力映像（入力音声）を切換える技術である。テレビに内蔵されているチューナー及び外部接続機器に内蔵されるチューナーにおけるチャンネル設定は、個々の機器の設定手順に従いユーザが調整しなければならない。従って、設定手順が製品（モデルやメーカなど）に依存し異なることより、複雑でありかつ手間のかかる作業となっているという問題があった。
【０００８】
本発明は、チャネル設定に関する手間を省くことを目的とする。
【課題を解決するための手段】
【０００９】
本発明によれば、予めチャンネル設定が行なわれ、このチャンネル設定情報を記憶している放送受信装置（テレビ）から通信手段を介してチャンネル設定情報を取得する。取得したチャンネル設定情報に基づき、自己（チューナー）のチャンネルサーチを行なうこと。自己がチャンネルサーチして得られたデータをテレビの設定を参照して並び替える。通信手段の１つとして、HDMI (CEC)を用いても良い。設定の並び替えが出来なかった場合は、エラーメッセージを出力する。
【００１０】
すなわち、本発明の一観点によれば、双方向の通信が可能な第１の機器と第２の機器とを含む放送番組視聴システムであって、前記通信により前記第１の機器が記憶している第１のチャンネル設定情報を前記第２の機器が前記第１の機器から取得し、取得した該第１のチャンネル設定情報に基づき、前記第２の機器のチャンネルサーチを行なうことを特徴とする放送番組視聴システムが提供される。前記第１のチャネル設定情報は、前記第１の機器のリモコン装置に割り当てられた放送局の情報を含むことを特徴とする。さらに、前記第２の機器において、前記第１のチャネル設定情報と前記チャンネルサーチによって得られた第２のチャネル設定情報とに基づいて、前記第２の機器のリモコン装置に割り当てられる放送局の情報を前記第１の機器の設定に合わせるように並び替えることを特徴とする。前記チャネルサーチは、受信周波数を順次選局し、現在受信可能な局を探す処理を含むことを特徴とする。
【００１１】
相手方の機器の情報を利用してチャネル設定を行うため、チャネル設定の手間を少なくすることができる。
【発明の効果】
【００１２】
本発明によれば、例えば記憶再生装置は、放送受信装置（テレビ）からチャンネル設定情報を入手することができるため、チャンネル設定を簡単かつ迅速に行うことができる。
【００１３】
ユーザは、テレビのチャンネル設定を１度行なえば、システムに接続される外部機器のチューナー設定をしなくても良く、テレビの設定に合わせて並び替える手間が省ける。
【発明を実施するための最良の形態】
【００１４】
以下に、本発明の実施の形態による放送番組視聴システムについて、ＨＤＭＩ規格に基づくシステムの例にして図面を参照しながら説明を行う。図３は、本実施の形態による放送番組視聴システムの一構成例を示す図である。図１は、図３に示すシステムのうち接続元電子機器の一例であるデジタル放送を受信可能な液晶テレビジョン装置（以下、デジタル放送受信装置と称する。）の一構成例を示す機能ブロック図である。図２は、図３に示すシステムのうち接続先電子機器の一例であるＤＶＤレコーダ（記録再生装置）の一構成例を示す機能ブロック図である。
【００１５】
上記表１には、ＣＥＣコマンド（コード）の例を示す。表１に示すように、ＣＥＣコマンドは、ＨＤＭＩ規格において共通コードと、ベンダ固有の固有コードと、を含む。ここで、ベンダ固有コードとしては、メニュー設定の転送、番組情報、特殊なリモコンキー、詳細なエラー通知などに関するコードがある。すなわち、レコーダの予約機能は、ベンダにより自由度をもって設定が可能である。
【００１６】
図１に示すように、デジタル放送受信装置Ａは、アンテナ１と、デジタル放送のチューナを含むデジタル放送受信部３と、ＨＤＭＩインターフェイス部５と、ＨＤＭＩ信号処理部７と、デコーダ１１と、リモコン受光部１５と、音声信号の処理を行う音声信号処理部２５と、処理後の音声信号に基づく音声を出力するスピーカ２１と、映像信号の処理を行う映像信号処理部２７と、処理後の映像信号に基づく映像を出力するディスプレイ２３と、これらの各機能ブロックについてバスラインを通して制御する制御部（ＣＰＵ）１７と、下記の処理を行うためのプログラムやその他の情報を記憶する記憶部であるＲＯＭ１８及びＲＡＭ１９を有している。これらのブロックはバスラインＢＬ１により接続されて、制御部（ＣＰＵ）１７により制御される。
【００１７】
図２に示すように、ＤＶＤレコーダＢは、アンテナ４１と、デジタルチューナ４３と、ＨＤＭＩ信号処理部４５と、制御部（ＣＰＵ）４７と、リモコン受光部５１と、記憶部（ＨＤＤ）５３と、ＨＤＭＩインターフェイス部５５と、電子番組表取得部５７と、ＤＶＤなどの光ディスク駆動部６３と、操作部６７と、を有している。さらに、制御部（ＣＰＵ）４７に、下記の処理を行うためのプログラムやその他の情報を記憶する記憶部であるＲＯＭ６５及びＲＡＭ６６を有している。これらのブロックはバスラインＢＬ２により接続されて、制御部（ＣＰＵ）４７により制御される。
【００１８】
図３は、図１及び図２に示すデジタル放送受信装置ＡのＨＤＭＩ入力端子５とＤＶＤレコーダＢのＨＤＭＩ出力端子５５とをＨＤＭＩケーブルによって接続した放送番組視聴システムの構成を示す図である。デジタル放送受信装置ＡとＤＶＤレコーダＢとの間において、矢印に示すように、ＤＶＤレコーダＢからデジタル放送受信装置Ａに向けて映像信号が流れ、デジタル放送受信装置ＡとＤＶＤレコーダＢとの間において制御信号（ＣＥＣコード）は双方向に流れる。機器間におけるＨＤＭＩケーブルを介してＣＥＣコードの制御信号のやり取りに基づいて、機器間における制御処理を行うことができる。尚、共通コードとベンダ固有のコードとのうち、以下の処理においては、ベンダ固有のコードを用いる。
【００１９】
図４は、本発明の第１の実施の形態による放送番組視聴システムにおけるチャネル設定処理であって、ＤＶＤレコーダＢのデジタル放送受信装置Ａからの設定取得処理の流れを示す図である。このような処理は、レコーダを購入した場合や、引っ越しを行った場合などに行われる。まず、処理を開始し（ステップＳ１）、デジタル放送に関する地域設定処理を行う。この処理は、より詳細には、ステップＳ２において地域コード設定を取得し、ステップＳ３において県域コード設定を取得し、さらに、ステップＳ４において地域識別設定を取得する。これらの設定データをもとに、地上デジタル放送のチャネルサーチを行うことができる。
【００２０】
次いで、ステップＳ５において、地上デジタル放送のチャネルサーチを起動する。次いで、ステップＳ６においてワンタッチボタン情報を取得し、ステップＳ７においてサービスＩＤ情報を取得する。ワンタッチボタン情報とは、リモコンのボタンに割り当てられている情報であり、ユーザが設定可能な情報である。ユーザが設定しない場合には、デフォルトの値が割り当てられており、ユーザが設定すると、ユーザが設定した旨の情報が割り当てられる。すなわち、例えば、リモコンに割り当てられた情報が、未設定であるか、デフォルト値であるか、ダウンロードなどにより設定されたものであるか、ユーザが変更したものであるか、を識別するための情報である。
【００２１】
サービス（編成チャネル）とは、委託放送事業者が編成するスケジュール化された放送番組の連続のことを指す。サービスＩＤとは、上記サービス毎に割り当てられた識別子であり、２バイトのデータで表される。テレビのリモコンの番号ボタン（１〜１２）に割り当てられた放送局がどの放送局に該当するかについて、サービスＩＤを利用して識別することができる。ＤＶＤレコーダＢは、ワンタッチボタン情報とサービスＩＤ情報とをデジタル放送受信装置Ａから取得することで、リモコンの１〜１２までの各ボタンに割り当てられている放送局が、ＢＳ、ＣＳ、地上デジタル放送においてそれぞれ何に相当するかを知ることができる。
【００２２】
ステップＳ５においてチャネルサーチを起動するが、チャネルサーチ処理は例えば数分程度の時間を要する。そこで、実際には、チャネルサーチの時間を有効に活用するために、ステップＳ６、Ｓ７の処理と平行してチャネルサーチ処理を行うのが好ましい。一般的にはチャネルサーチの方が時間を要するため、ステップＳ８において、地上デジタル放送のチャネルサーチが終了したか否かを判定する。地上デジタルのチャネルサーチとは、地上デジタルの受信周波数を順次選局し、現在受信可能な局を探す処理である。但し、地上デジタルは地域ごとに異なり、リモコン番号に割り振られているデフォルトの局も異なる。そのために、地上デジタルチャネルサーチの前に、地域コード、県域コード、地域識別の取得を行い地域を知る。
【００２３】
チャネルサーチが終了すると（Ｙｅｓ）、ステップＳ９でＢＳを選局しＮＩＴを取得し、ステップＳ１０でＣＳ１を選局しＮＩＴを取得し、ステップＳ１１でＣＳ２を選局しＮＩＴを取得する。ＢＳ、ＣＳ１、ＣＳ２を選局しＮＩＴを取得することで、ＢＳ、ＣＳ１、ＣＳ２にある放送局を知ることができる。尚、ＮＩＴには、チャンネル番号や変調方式、ガードインターバルなど、送信するネットワークに関する情報が含まれる。ステップＳ８でサーチが終了した地上デジタル放送と合わせて、全ての受信可能なデジタル放送の放送局がわかる。この情報と、ワンタッチボタン情報、サービスＩＤ情報と、から、チャネルの並び替えを行う方針を知ることが出来る。
【００２４】
ステップＳ１２において、デジタル放送のチャネル設定を並び替える。この処理についての詳細な具体例については後述するが、並び替え処理においては、テレビ側のリモコンに割り当てられた情報であるワンタッチボタン情報（未設定、デフォルト、ユーザ設定）と、各サービスに割り当てられている識別子であるサービスＩＤと、に基づいて、リモコンの１から１２までの各ボタンに割り当てられている放送局が、ＢＳ、ＣＳ、地上デジタルで、それぞれ何になるかがわかるため、デジタル放送（地上デジタル、ＢＳ、ＣＳ）のチャネル並び替え処理が簡単にできる。より具体的には、テレビのリモコンボタン１〜１２の順に、割り当てられているサービスＩＤをレコーダのチャネル設定から探し、テレビの並びと同じになるようにレコーダの方を並び変える。
【００２５】
次いで、ステップＳ１３においてエラー判定を行い、エラーでない場合（ＯＫ）には処理を完了し（ステップＳ１５）、エラーと判定されると（エラー）、ステップＳ１６において例えばエラー表示を行い、ステップＳ１７でリトライを行うか否かをユーザに選択させるためのメニュー表示を行う。リトライする場合には（Ｙｅｓ）、ステップＳ１８において警告表示を行い、ステップＳ２に戻る。リトライを行わない場合には（Ｎｏ）、ステップＳ１５に進み処理を終了する。
【００２６】
エラー判定は、テレビから取得した情報と、自分でサーチした結果が合わないとき、例えば、テレビでは地上デジタル放送局の情報があるが、アンテナ接続の間違いなどによりレコーダでは地上デジタルの放送局が見つからなかった場合など、がある。エラー表示は、アンテナ接続を確認するような作業と、データの再取得処理と、を行うことを促すための表示となる。天候条件の悪い場合など受信状態が悪い場合も該当する。
【００２７】
図５及び図６を参照しながら、チャネルサーチのデータをデジタル放送受信装置（テレビ）の設定に並び替える処理の例について説明を行う。この処理は、前述のように、リモコン装置のチャネル番号にどのチャネルを割り当てるかに関する処理であり、ユーザがテレビで設定した内容に合わせてレコーダの設定を並び替える処理である。例えば、地上デジタル放送の放送局をサーチし、使っているテレビのリモコン設定に合わせることにより、どちらのリモコンを使っても同じように操作することができるようになる。
【００２８】
図５は、ユーザ設定の結果に基づくテレビのチャネル設定結果例を示すテーブルである。例えば、関東地方では、ＣＨ１は、ＮＨＫ総合、ＣＨ３は、ＮＨＫ教育などと設定されているのが一般的である。図６の左のテーブルは、レコーダの初期チャネルの設定状況を示すものであり、レコーダ側における図４に示すチャネルサーチの結果、１ＣＨがＮＨＫ総合、２ＣＨがＮＨＫ教育などとなっている。テレビのリモコン設定とレコーダのリモコン設定とが異なるため、レコーダのリモコン設定をテレビのリモコン設定に合わせるように図４のステップＳ１２において並び替えの処理を行う。このような処理により、テレビのリモコンを用いてもレコーダのリモコンを用いても同じ処理とすることができるため、いずれのリモコンを用いた場合でもユーザは違和感なく利用することができる。かつ、設定の並び替えを行う処理を行うだけで良いため、並び替え処理に要する時間が短くなる。
【００２９】
尚、レコーダのチャネル設定をテレビに合わせる処理は、テレビから全て情報を受け取ることでも実現できるが、デジタル放送はデータ量が多くの時間を要する（３０分程度）という問題がある。そこで、上述のように、テレビのリモコンの設定登録情報だけを送ってもらい、図４のステップＳ１からステップＳ１１までにおいて自己（レコーダ）が取得したチャネルのデータを、ステップＳ１２においてテレビの設定に合わせるように並び替えるだけの処理とすることにより、データの受け渡し量が減り、レコーダのチャネル設定をテレビに合わせる処理に要する時間の短縮が可能となる。
【００３０】
図７は、本発明の第２の実施の形態による放送番組視聴システムの別の構成例を示す図である。図７に示す構成では、それぞれＨＤＭＩインターフェイス（５、５５ａ、５５ｂ）を備えたデジタルテレビ受信装置（ＴＶ）Ａに対して、第１の記録再生装置（ＲＤ１）Ｂ１と、第２の記憶再生装置（ＲＤ２）Ｂ２と、がＨＤＭＩ規格に基づいて接続されている。図７に示す構成において、例えば、デジタルテレビ受信装置Ａのリモコン設定に合わせて、第１の記録再生装置（ＲＤ１）Ｂ１又は第２の記憶再生装置（ＲＤ２）Ｂ２のそれぞれのリモコン設定を行うこともできる。さらに、同様の手法により、第１の記録再生装置（ＲＤ１）Ｂ１のリモコン設定に合わせて第２の記憶再生装置（ＲＤ２）Ｂ２リモコン設定を並び替えたり、逆に、第２の記録再生装置（ＲＤ２）Ｂ２のリモコン設定に合わせて第１の記憶再生装置（ＲＤ１）Ｂ１リモコン設定を並び替えたりすることができる。すなわち、第１の記録再生装置（ＲＤ１）Ｂ１と第２の記憶再生装置（ＲＤ２）Ｂ２との間に設けられているデジタルテレビ受信装置ＡのＨＤＭＩインターフェイスを単にＨＤＭＩの双方向通信の通信路として用いることもできる。
【００３１】
尚、上記のチャネル設定処理はアナログ放送の場合にも適用することができる。図８は、アナログ放送における処理の流れを示すフローチャート図である。まず、ステップＳ２１において処理を開始し（スタート）、ステップＳ２２において、地上Ａチャンネル個別設定、例えば、チャネルポジションデータと、受信ｃｈデータと、表示ｃｈデータと、微調データと、スキップｃｈデータと、を取得する。次いで、これらの個別設定情報に基づいて、ステップＳ２３において、レコーダの設定をテレビの設定に合わせるようにアナログ放送のチャネル設定の並び替えを行う。ステップＳ２４においてエラー判定を行い、ＯＫ（エラーでない）であればステップＳ２５において処理を完了し、ＮＧ（エラーである）であればステップＳ２６に進みエラー表示を行う。上記の処理により、アナログ放送においても、デジタル放送と同様にレコード側におけるリモコンの設定を簡単に行うことができる。デジタルとアナログを一連の処理で行うようにしても良い。
【００３２】
尚、上記処理は、ベンダ固有のコードを利用して行われる。従って、ＨＤＭＩ接続以外に、ｉＬＩＮＫ接続、ＳＣＡＲＴ端子でのＡＶＬＩＮＫでも可能である。その他、別の通信路を利用することで処理を行うことも可能である。ＲＳ−２３２ＣやＬＡＮケーブルなどの接続の場合でも処理が可能である。
【００３３】
以上に説明したように、本発明の各実施の形態によるチャネル設定処理によれば、例えば、テレビからチャンネル設定情報を入手するため、チャンネル設定を早くすることができるという利点がある。また、ユーザは、テレビのチャンネル設定を１度行なえば、本システムで接続されている外部機器、例えば記録再生装置のチューナー設定を行う必要がなくなるという利点がある。従って、ユーザはテレビの設定に並び替える手間が省ける。
【産業上の利用可能性】
【００３４】
本発明は、放送番組視聴システムに利用可能である。
【図面の簡単な説明】
【００３５】
【図１】デジタル放送を受信可能な液晶テレビジョン装置の一構成例を示す機能ブロック図である。
【図２】図２は、ＤＶＤレコーダ（記録再生装置）の一構成例を示す機能ブロック図である。
【図３】放送番組視聴システムの一構成例を示す図である。
【図４】本発明の第１の実施の形態による放送番組視聴システムにおけるチャネル設定処理であって、デジタル放送受信装置からの設定取得処理の流れを示す図である。
【図５】チャネルサーチのデータをデジタル放送受信装置（テレビ）の設定に並び替える処理の例を示す図である。
【図６】チャネルサーチのデータをデジタル放送受信装置（テレビ）の設定に並び替える処理の例を示す図である。
【図７】本発明の第２の実施の形態による放送番組視聴システムの別の構成例を示す図である。
【図８】アナログ放送における処理の流れを示すフローチャート図である。
【符号の説明】
【００３６】
Ａ…デジタル放送受信装置、Ｂ…ＤＶＤレコーダ、１…アンテナ、３…デジタル放送受信部、５…ＨＤＭＩインターフェイス部、７…ＨＤＭＩ信号処理部、１１…デコーダ、１５…リモコン受光部、１７…制御部（ＣＰＵ）、１８…記憶部、２１…スピーカ、２３…ディスプレイ、２５…音声信号処理部、２７…映像信号処理部、４１…アンテナ、４３…デジタルチューナ、４５…ＨＤＭＩ信号処理部、４７…制御部、５１…リモコン受光部、５３…記憶部（ＨＤＤ）、５５…ＨＤＭＩインターフェイス部、５７…電子番組表取得部、６３…光ディスク駆動部、６７…操作部。
【図１】
2008035182.tif 000004
【図２】
2008035182.tif 000005
【図３】
2008035182.tif 000006
【図４】
2008035182.tif 000007
【図５】
2008035182.tif 000008
【図６】
2008035182.tif 000009
【図７】
2008035182.tif 000010
【図８】
2008035182.tif 000011